(57)【要約】【課題】監視範囲が広い光学的視察装置を提供する。【解決手段】ビデオカメラ１を内装した先端部分に水冷ジャケット空間４２を有し且つ先端部分外側面を凸球面状に形成したホルダ３８と、高温室の壁板５３に穿設した開口を取り囲み且つ高温室の外方側からホルダ３８の先端部分が摺動可能に当接する環状凹湾曲面を形成した取付座４０と、ホルダ３８に外嵌し且つ取付座４０に嵌着した押え板５６とを備え、ホルダ３８の姿勢を手動操作により変位させて、ビデオカメラ１の視軸の向きを調整する。【選択図】　　　　図１
2004109220.tif 000002
【特許請求の範囲】
【請求項１】
カメラを内装した水冷ジャケット空間を有し且つ先端部分を凸球面状に形成したホルダと、高温室の壁板に固着され且つ高温室の外方側から前記のホルダを摺動可能に当接する環状凹湾曲面を形成した取付座と、ホルダの先端部分に外嵌し且つ取付座に嵌着した押え板と、カメラのレンズ部分に対峙するようにホルダに設けた板窓とを備え、ホルダ内部の板窓へ連なるガス流路を形成すると共に、前記の水冷ジャケット空間に連通する冷却水流路を、ホルダに接続したことを特徴とする光学的視察装置。
【請求項２】
伸縮作動するアクチュエータの一端部をホルダに連結し且つアクチュエータの他端部を固定物に連結した請求項１に記載の光学的視察装置。
【発明の詳細な説明】
【０００１】
【発明の属する技術分野】
本発明は光学的視察装置に関するものである。
【０００２】
【従来の技術】
従来の光学的視察装置の一例としては特許文献１に示すものがある。
【０００３】
【特許文献１】
特開平８−２３４１３４号公報
【０００４】
この特許文献１の光学的視察装置は、図５に示され、ビデオカメラ１と、ハウジング２と、シュラウド３とを備えている。
【０００５】
ビデオカメラ１は、カメラ構造部分（図示せず）を収容する管状胴部４と、該管状胴部４の後端部に連結され且つ遠隔場所に設置した信号処理装置や表示装置に画像信号を送信するケーブル５とを有している。
【０００６】
管状胴部４の先端部は、ビデオカメラ１の対物レンズ部分を保護し且つ光学的フィルタとしての役割もする透明な板窓６により閉止されている。
【０００７】
ハウジング２は、ビデオカメラ１をその周方向に順に覆う冷却水ジャケット７、内筒８、外筒９、及び外スリーブ１０によって構成されている。
【０００８】
冷却水ジャケット７の外周面には、周方向に延びる溝１１が長手方向に等間隔に形成されている。
【０００９】
内筒８は、冷却水ジャケット７に水密に外嵌して前記の溝１１との間に冷却水流路１２を形成しており、当該冷却水流路１２に連通するように内筒８の後端の大径部１３に穿設した透孔１４には、給水管１５が接続されている。
【００１０】
また、内筒８の大径部１３の後端は、背板１６によって閉止されている。
【００１１】
外筒９の先端には、冷却水ジャケット７の内径と略同寸法の開口１７を有し、該開口１７の冷却水ジャケット７側に位置するフランジ１８とが形成されており、外筒９は、冷却水ジャケット７と内筒８の各先端面、及び内筒８の外周面に空隙を隔ててガス供給室１９を形成するように、内筒８に外嵌されている。
【００１２】
更に、外筒９の後端の大径部２０は、内筒８の大径部１３先端側に嵌着されている。
【００１３】
また、前記のガス供給室１９に連通するように外筒９の大径部２０に穿設した透孔２１には、第１の浄化用ガス管２２が接続されている。
【００１４】
外スリーブ１０の後端のフランジ部１０ａは、外筒９の大径部２０に締結され、また、外スリーブ１０の先端部には、雄ねじ２３が螺設されている。
【００１５】
このハウジング２の外スリーブ１０は、約１０００℃の連続する高温材を搬送させる高温室の側壁に固定されている。
【００１６】
シュラウド３は、外筒９の開口１７に嵌設したシュラウド本体２４と、基部を外スリーブ１０の雄ねじ２３に螺合した管状体２５と、該管状体２５の内周面に固設したノズル２６とによって構成されている。
【００１７】
シュラウド本体２４には、ノズル２６と板窓６の間に介在し且つ該板窓６からノズル２６側へ向かって徐々に内径が拡大する開口２７と、該開口２７の内周面から径方向へ放射状に延び且つ前記のガス供給室１９に連通するガス出口ポート２８とが形成されている。
【００１８】
ノズル２６は、管状体２５先端面に当接するフランジ部２９と、該フランジ部２９に連なり且つ管状体２５に嵌入した胴部３０と、該胴部３０に連なる小径部３１とを有している。
【００１９】
更に、ノズル２６には、シュラウド本体２４の開口２７に連なり且つ先端側へ向かって徐々に内径が拡大する開口３２が形成されている。
【００２０】
この開口３２内周面の先端寄りの所定部分には、周方向に延びる長孔状のガス出口３３が設けられ、該ガス出口３３に対峙する開口３２内周面の先端縁部分は、なだらかな曲面に形成されている。
【００２１】
管状体２５内周面とノズル２６の小径部３１外周面との間に形成された空間を第２のガス供給室３４とし、前記のガス出口３３に第２のガス供給室３４を連通させるガス流路３５を、ノズル２６の胴部３０外面に形成している。
【００２２】
更に、第２のガス供給室３４に連通するように管状体２５に穿設した透孔には、第２の浄化用ガス管３６が接続されている。
【００２３】
図５に示す光学的視察装置では、給水管１５から冷却水流路１２へ送給される冷却水は、冷却水流路１２を流通しつつハウジング２を冷却して図示していない排水管から流出する。
【００２４】
また、第１の浄化用ガス管２２から第１のガス供給室１９へ送給される浄化用ガスは、第１のガス供給室１９からガス出口ポート２８を経て、シュラウド本体２４内側に噴出し、シュラウド本体２４及びノズル２６の開口２７，３２内面に沿って漸次圧力を低下させつつ前方へ流れ、汚染物質が板窓６に付着することを防止する。
【００２５】
更に、第２の浄化用ガス管３６から第２のガス供給室３４へ送給される浄化用ガスは、ガス流路３５及びガス出口３３を経て、ノズル２６内側に噴出し、ガスのカーテン流を形成してノズル２６内への汚染物質の進入を抑止するとともに、その全量がシュラウド３の側方へ流出し、ノズル２６内での逆渦流の発生を防止する。
【００２６】
【発明が解決しようとする課題】
しかしながら、図５に示す従来の光学的視察装置では、ハウジング２を高温室の壁板に固定しているので、監視可能な範囲がカメラの視角範囲だけに制限され広範囲に監視を行なうときには、多数の光学的視察装置が必要になる。
【００２７】
本発明は上述した実情に鑑みてなしたもので、監視範囲が広い光学的視察装置を提供することを目的としている。
【００２８】
【課題を解決するための手段】
上記目的を達成するために、本発明の請求項１に記載の光学的視察装置では、カメラを内装した水冷ジャケット空間を有し且つ先端部分を凸球面状に形成したホルダと、高温室の壁板に固着され且つ高温室の外方側から前記のホルダを摺動可能に当接する環状凹湾曲面を形成した取付座と、ホルダの先端部分に外嵌し且つ取付座に嵌着した押え板と、カメラのレンズ部分に対峙するようにホルダに設けた板窓とを備え、ホルダ内部の板窓へ連なるガス流路を形成すると共に、前記の水冷ジャケット空間に連通する冷却水流路を、ホルダに接続している。
【００２９】
本発明の請求項２に記載の光学的視察装置では、伸縮作動するアクチュエータの一端部をホルダに連結し且つアクチュエータの他端部を固定物に連結している。
【００３０】
本発明の請求項１に記載の光学的視察装置では、取付座に先端部分が当接しているホルダの姿勢を、手動操作により変位させ、カメラの視軸の向きを調整する。
【００３１】
本発明の請求項２に記載の光学的視察装置では、取付座に先端部分が当接しているホルダの姿勢を、アクチュエータの伸縮動作により変位させ、カメラの視軸の向きを調整する。
【００３２】
【発明の実施の形態】
以下、本発明の実施の形態を、図示例とともに説明する。
【００３３】
図１及び図２は本発明の光学的視察装置の実施の形態の第１の例であり、図中、図５と同一の符号を付したものは同一物を表している。
【００３４】
この光学的視察装置は、ビデオカメラ１と、該ビデオカメラ１を先端寄り部分に内装したホルダ３８と、該ホルダ３８の先端に装着したノズル３９と、ホルダ３８の先端部分を摺動可能に保持する取付座４０とを備えている。
【００３５】
ビデオカメラ１は、カメラ構造部分（図示せず）を収容する管状胴部４と、該管状胴部４の後端部に連結され且つ遠隔場所に設置した信号処理装置や表示装置に画像信号を送信するケーブル５とを有している。
【００３６】
管状胴部４の先端部は、ビデオカメラ１の対物レンズ部分を保護し且つ光学的フィルタとしての役割もする透明な板窓６により閉止されている。
【００３７】
ホルダ３８は、その中心に位置してビデオカメラ１を挿入可能な孔４１と、該孔４１の先端部分を周方向に取り囲む水冷ジャケット空間４２と、前記の孔４１に連なり且つホルダ３８先端に向かって開口するノズル３９装着用の孔４３とを有している。
【００３８】
ホルダ３８の先端部分外側面は、ホルダ３８軸線上に中心点を有する凸球面状に形成されている。
【００３９】
また、孔４１には、その長手方向へ延びるガス流路４４が形成されている。
【００４０】
ガス流路４４の上流端は、水冷ジャケット空間４２のホルダ３８後端側に隣接して設けたガス導入室４５に連通し、該ガス導入室４５は、ホルダ３８後端面に接続したガス供給管４６に連通している。
【００４１】
ノズル３９は、図２に示すようにホルダ３８先端の孔４３に嵌合可能な大径部４７と、該大径部４７に連なる小径部４８とを有し、小径部４８側の端面から大径部４７側の端面へ向かって徐々に内径が拡大する孔４９が形成されている。
【００４２】
孔４９には、その内周面の板窓６至近位置から径方向へ放射状に延びて、小径部４８外周面に開口する複数のガス出口ポート５０が穿設されている。
【００４３】
ガス出口ポート５０は、ノズル３９の小径部４８外周面とホルダ３８の孔４３の内周面との間に形成される空間５１を介してガス流路４４に連通している。
【００４４】
水冷ジャケット空間４２には、ホルダ３８後端面に接続した冷却水流入管５２が挿入されている。
【００４５】
取付座４０は、光学的視察装置を取り付けるべき高温室の壁板５３の所定位置に穿設した開口を取り囲むように当該壁板５３に固着されている。
【００４６】
取付座４０は円盤状で、その外周縁部には、円筒状のフランジ５４が設けられており、取付座４０の内周面は、高温室外方側から前記のホルダ３８の先端部分が摺動可能に当接し得るように、環状凹湾曲面に形成されている。
【００４７】
また、取付座４０には、ホルダ３８の先端部分に外嵌可能で且つ取付座４０のフランジ５４内に装着し得るシール部材５５と、ホルダ３８先端の凸球面状部分の後端寄り部分に摺動可能に外嵌し且つ取付座４０のフランジ５４の内方に嵌着可能な押え板５６とが付帯している。
【００４８】
すなわち、取付座４０の環状凹湾曲面に先端部分が当接しているホルダ３８の後端側から、シール部材５５及び押え板５６を順次嵌め込み、当該押え板５６を取付座４０にボルト締結して、ホルダ３８を高温室の壁板５３に取り付ける。
【００４９】
図１及び図２に示す光学的視察装置においては、冷却水流入管５２からホルダ３８の水冷ジャケット空間４２へ流入した冷却水が、水冷ジャケット空間４２内を流通しつつホルダ３８を冷却し、図示していない冷却水排出管から外部へ流出する。
【００５０】
また、ガス供給管４６からガス導入室４５へ送給した浄化用ガスが、ガス流路４４、空間５１、及びガス出口ポート５０を経て、ノズル３９の孔４９の内側に噴出し、当該孔４９の内面に沿って漸次圧力を低下させつつ前方へ流れ、汚染物質が板窓６に付着することを防止する。
【００５１】
更に、取付座４０の環状凹湾曲面に先端部分が摺動可能に当接しているホルダ３８の姿勢を、手動操作により変位させて、ビデオカメラ１の視軸の向きを適宜に調整する。
【００５２】
このように、図１及び図２に示す光学的視察装置においては、手動操作によりホルダ３８の姿勢を変位させて、ビデオカメラ１の視軸の向きを調整するので、当該ビデオカメラ１で、高温室の内部を広範囲に監視することが可能になる。
【００５３】
図３及び図４は本発明の光学的視察装置の実施の形態の第２の例であり、図中、図１と同一の符号を付したものは同一物を表している。
【００５４】
この光学的視察装置では、ホルダ３８及び取付座４０に加えて、ホルダ３８の後端部に、２箇所にボールジョイントの球受座５７を有する環状部材５８を嵌着している。
【００５５】
更に、ホルダ３８径方向に伸縮可能な２台のアクチュエータ５９を、環状部材５８周方向に間隔をおいて配設し、各アクチュエータ５９の一端部を前記の環状部材５８の球受座５７に自在継手６０を介して連結し、当該アクチュエータ５９の他端部に嵌装した球面軸受（図示せず）に、ホルダ３８に対して略平行なピン６１を挿通し、該ピン６１を位置固定のブラケット６２に枢支している。
【００５６】
図３及び図４に示す光学的視察装置においては、取付座４０の環状凹湾曲面に先端部分が摺動可能に当接しているホルダ３８の姿勢を、各アクチュエータ５９の伸縮作動により変位させて、ビデオカメラ１（図１参照）の視軸の向きを適宜に調整する。
【００５７】
このように、図３及び図４に示す光学的視察装置においては、アクチュエータ５９によりホルダ３８の姿勢を変位させて、ビデオカメラ１の視軸の向きを調整するので、当該ビデオカメラ１で、高温室の内部を広範囲に監視することが可能になる。
【００５８】
なお、本発明の光学的視察装置は上述した実施の形態のみに限定されるものではなく、本発明の要旨を逸脱しない範囲内において変更を加え得ることは勿論である。
【００５９】
【発明の効果】
以上述べたように、本発明の光学的視察装置によれば、下記のような種々の優れた効果を奏し得る。
【００６０】
（１）本発明の請求項１に記載の光学的視察装置においては、ホルダの姿勢を手動操作により変位させて、カメラの視軸の向きを調整するので、当該カメラの監視範囲が広がり、よって、視察対象物を確実に監視することができる。
【００６１】
（２）本発明の請求項２に記載の光学的視察装置においては、ホルダの姿勢をアクチュエータの伸縮動作により変位させて、カメラの視軸の向きを調整するので、当該カメラの監視範囲が広がり、よって、視察対象物を確実に監視することができる。
【図面の簡単な説明】
【図１】本発明の光学的視察装置の実施の形態の第１の例を示す概念図である。
【図２】図１に関連するノズル部分の拡大図である。
【図３】本発明の光学的視察装置の実施の形態の第２の例を示す概念図である。
【図４】図３のＩＶ−ＩＶ矢視図である。
【図５】従来の光学的視察装置の一例を示す概念図である。
【符号の説明】
１　　　　　ビデオカメラ（カメラ）
６　　　　　板窓
３８　　　　　ホルダ
４０　　　　　取付座
４２　　　　　水冷ジャケット空間
４６　　　　　ガス供給管
５０　　　　　ガス出口ポート（ガス流路）
５２　　　　　冷却水流入管
５３　　　　　壁板
５６　　　　　押え板
５９　　　　　アクチュエータ
６２　　　　　ブラケット（固定物）
【図１】
2004109220.tif 000003
【図２】
2004109220.tif 000004
【図３】
2004109220.tif 000005
【図４】
2004109220.tif 000006
【図５】
2004109220.tif 000007